(57)【要約】【課題】使い勝手を損なわずに安全性を向上させると共に、過負荷を防止することができる文書細断機及びそのためのスペーサを提供すること。【解決手段】内部に回転刃６が設けられた細断機本体１の外殻体２に、底部にスリット状の第一挿入口８が形成された凹部７を設け、この凹部７に取り付けられるスペーサ１７を設け、このスペーサ１７がスリット状の第二挿入口１８を有すると共に、前記第二挿入口１８の短方向の幅Ｘ２を前記第一挿入口８の短方向の幅Ｘ１よりも狭く形成し、前記スペーサ１７が前記凹部７に取り付けた状態で前記回転刃６から前記第二挿入口１８の上端までの距離Ｙ２が前記回転刃６から前記第一挿入口８の上端までの距離Ｙ１よりも長くなるようにすることで、幼い子供の細い指等であっても、前記第二挿入口１８から挿入することができず、仮に挿入できたとしても、指先が前記回転刃６まで届かず、安全性を高めることができる。【選択図】図６
2008062167.tif 000002
【特許請求の範囲】
【請求項１】
細断機本体を有し、この細断機本体の外殻体が、凹部と、この凹部の底部に形成されたスリット状の第一挿入口とを有すると共に、前記外殻体の内側に回転刃が設けられた文書細断機において、
前記文書細断機が、前記凹部に取り付けられるスペーサを有し、このスペーサが、スリット状の第二挿入口を有すると共に、前記第二挿入口の短方向の幅が前記第一挿入口の短方向の幅よりも狭く形成されており、前記スペーサを前記凹部に取り付けた状態で前記回転刃から前記第二挿入口の入口側端部までの距離が前記回転刃から前記第一挿入口の入口側端部までの距離よりも長くなるように構成されていることを特徴とする文書細断機。
【請求項２】
前記第二挿入口の長辺の少なくとも一方の出口側端部にリップ部を形成すると共に、このリップ部が、前記スペーサを前記凹部に取り付けた際に、前記第一挿入口内に挿入可能に構成されていることを特徴とする請求項１記載の文書細断機。
【請求項３】
スリット状の第一挿入口が底部に形成された凹部を有する外殻体及びこの外殻体の内側に設けられた回転刃を有する細断機本体の前記凹部に取り付けられるスペーサであって、
このスペーサが、スリット状の第二挿入口を有すると共に、前記第二挿入口の短方向の幅が前記第一挿入口の短方向の幅よりも狭く形成されており、前記スペーサが前記凹部に取り付けられた状態で前記回転刃から前記第二挿入口の入口側端部までの距離が前記回転刃から前記第一挿入口の入口側端部までの距離よりも長くなるように構成されていることを特徴とするスペーサ。
【請求項４】
前記第二挿入口の長辺の少なくとも一方の出口側端部にリップ部を形成すると共に、このリップ部が、前記スペーサが前記凹部に取り付けられた際に、前記第一挿入口内に挿入可能に構成されていることを特徴とする請求項３記載のスペーサ。
【発明の詳細な説明】
【技術分野】
【０００１】
本発明は、細断する紙等を挿入するための挿入口に細い指や厚すぎる紙等が入りにくいようにした文書細断機に関するものである。
【背景技術】
【０００２】
従来、この種の文書細断機としては、内部に一対の回転刃を有すると共に、上面に紙挿入用のスリット（本発明の挿入口に相当する）が開口している細断機本体を有するものが知られている（例えば、特許文献１参照。）。そして、このような文書細断機では、前記筐体に紙を挿入しやすくするための凹部（本発明の凹部に相当する）が形成されており、前記スリットは、前記凹部の底部に形成されている。
【特許文献１】特開２００３−２３６４０１号公報
【発明の開示】
【発明が解決しようとする課題】
【０００３】
しかしながら、このような文書細断機においては、子供等の比較的細い指であれば、前記スリットに挿入することができてしまうので、安全上問題があった。また、前記回転刃による細断能力を超える厚さの厚紙等であっても、前記スリットに挿入することができてしまうので、前記文書細断機に過大な負荷がかかってしまう虞もあった。一方、このような問題を解決するために、子供等の比較的細い指であっても挿入できない程度に前記スリットの短方向の幅（即ち隙間）を狭くして、安全を確保すると共に、過大な負荷が文書細断機にかからないようにすることも考えられるが、このようにした場合、細断能力の範囲内であっても、細断する紙等を前記スリットに挿入しにくくなるという問題が発生する。この問題は、特に折れたり曲がったりした複数の紙等を一度に前記スリットに挿入する場合に顕著である。
【０００４】
本発明は以上の問題点を解決し、使い勝手を損なわずに安全性を向上させると共に、過負荷を防止することができる文書細断機及びそのためのスペーサを提供することを目的とする。
【課題を解決するための手段】
【０００５】
本発明の請求項１に記載の文書細断機は、細断機本体を有し、この細断機本体の外殻体が、凹部と、この凹部の底部に形成されたスリット状の第一挿入口とを有すると共に、前記外殻体の内側に回転刃が設けられた文書細断機において、前記文書細断機が、前記凹部に取り付けられるスペーサを有し、このスペーサが、スリット状の第二挿入口を有すると共に、前記第二挿入口の短方向の幅が前記第一挿入口の短方向の幅よりも狭く形成されており、前記スペーサを前記凹部に取り付けた状態で前記回転刃から前記第二挿入口の入口側端部までの距離が前記回転刃から前記第一挿入口の入口側端部までの距離よりも長くなるように構成されているものである。
【０００６】
また、本発明の請求項２に記載の文書細断機は、請求項１において、前記第二挿入口の長辺の少なくとも一方の出口側端部にリップ部を形成すると共に、このリップ部が、前記スペーサを前記凹部に取り付けた際に、前記第一挿入口内に挿入可能に構成されているものである。
【０００７】
また、本発明の請求項３に記載のスペーサは、スリット状の第一挿入口が底部に形成された凹部を有する外殻体及びこの外殻体の内側に設けられた回転刃を有する細断機本体の前記凹部に取り付けられるスペーサであって、このスペーサが、スリット状の第二挿入口を有すると共に、前記第二挿入口の短方向の幅が前記第一挿入口の短方向の幅よりも狭く形成されており、前記スペーサが前記凹部に取り付けられた状態で前記回転刃から前記第二挿入口の入口側端部までの距離が前記回転刃から前記第一挿入口の入口側端部までの距離よりも長くなるように構成されているものである。
【０００８】
更に、本発明の請求項４に記載のスペーサは、請求項３において、前記第二挿入口の長辺の少なくとも一方の出口側端部にリップ部を形成すると共に、このリップ部が、前記スペーサが前記凹部に取り付けられた際に、前記第一挿入口内に挿入可能に構成されているものである。
【発明の効果】
【０００９】
本発明の請求項１に記載の文書細断機は、以上のように構成することにより、前記細断機本体の凹部に前記スペーサを取り付けることで、前記第一挿入口よりも短方向の幅が狭い前記第二挿入口から紙等が挿入されるようになるので、子供等の比較的細い指であっても、前記第二挿入口から挿入することができず、仮に指を前記第二挿入口に挿入できたとしても、前記回転刃から前記第二挿入口の入口側端部までの距離が長くなっているので、指先が前記回転刃まで届かず、安全性を高めることができると共に、明らかに細断能力を超える厚さの厚紙等も挿入しにくくなるので、文書細断機に過負荷がかかることを抑制することができる。一方、前記凹部から前記スペーサを取り外すことで、通常通り紙等を細断することができる。
【００１０】
また、前記スペーサを前記凹部に取り付けた際に、前記第二挿入口の長辺の少なくとも一方の出口側端部に形成されたリップ部が前記第一挿入口内に挿入可能に構成されていることによって、前記第二挿入口の短方向の幅よりも太い（或いは厚い）指や厚紙等が前記第二挿入口に挿入されようとしても、前記リップ部が前記第一挿入口に当接して前記スペーサの変形が抑制されるので、安全性をより高めることができると共に、文書細断機に過負荷がかかることをより確実に抑制することができる。
【００１１】
また、本発明の請求項３に記載のスペーサは、以上のように構成することにより、前記細断機本体の凹部に取り付けることで、前記第一挿入口よりも短方向の幅が狭い前記第二挿入口から紙等が挿入されるようになるので、子供等の比較的細い指であっても、前記第二挿入口から挿入することができず、仮に指を前記第二挿入口に挿入できたとしても、前記回転刃から前記第二挿入口の入口側端部までの距離が長くなっているので、指先が前記回転刃まで届かず、安全性を高めることができると共に、明らかに細断能力を超える厚さの厚紙等も挿入しにくくなるので、文書細断機に過負荷がかかることを抑制することができる。
【００１２】
更に、前記スペーサを前記凹部に取り付けた際に、前記第二挿入口の長辺の少なくとも一方の出口側端部に形成されたリップ部が前記第一挿入口内に挿入可能に構成されていることによって、前記第二挿入口の短方向の幅よりも太い（或いは厚い）指や厚紙等が前記第二挿入口に挿入されようとしても、前記リップ部が前記第一挿入口に当接して前記スペーサの変形が抑制されるので、安全性をより高めることができると共に、文書細断機に過負荷がかかることをより確実に抑制することができる。
【発明を実施するための最良の形態】
【００１３】
以下、本発明の実施形態について、図１乃至図６に基づいて説明する。１は本発明の文書細断機を構成する細断機本体である。この細断機本体１は、上方が開口した図示しないダストケースの前記開口部に載置されるように構成されている。また、前記細断機本体１は、外殻体２と、ガイド部材３と、可動掛部４と、操作部５と、回転刃６とを有して構成されている。そして、前記外殻体２は、上外殻体２Ａと下外殻体２Ｂで構成されている。また、前記外殻体２を構成する上外殻体２Ａの上部には、細長い凹部７が形成されていると共に、この凹部７の底部には、細断する紙類を挿入するためのスリット状の第一挿入口８が形成されている。一方、前記外殻体２を構成する下外殻体２Ｂの下部には、前記第一挿入口８に対応して、細長い開口部９が形成されている。なお、前記凹部７、第一挿入口８及び開口部９は、前記外殻体２の長さ方向とほぼ平行に延びて形成されている。また、前記上筐体２Ａには、固定掛部１０が一体に形成されていると共に、前記上筐体２Ａにおける前記固定掛部１０の反対側には、前記可動掛部４が取り付けられている。なお、前記可動掛部４は、前記上筐体２Ａの長さ方向にスライド可能に取り付けられていることで、前記固定掛部１０との距離が調節可能に構成されている。また、前記ガイド部材３は、前記上外殻体２Ａと下外殻体２Ｂの間に挟持され、前記第一挿入口８と開口部９とを繋いで紙類を送る経路を構成するものであり、前記第一挿入口８の短方向の幅（即ち隙間）Ｘ１とほぼ同じ幅のスリット状の孔１１が形成されている。そして、前記ガイド部材３の下端３Ａは、前記開口部９に挿入されていることで、排出口１２を構成している。更に、前記第一挿入口８から排出口１２までの経路は、前記文書細断機の使用状態において、上下方向に延びて形成されている。なお、前記ガイド部材３には、前記回転刃６を前記孔１１内に露出させるためのスリット状の刃窓１３が形成されている。
【００１４】
前記外殻体２内には、図示しないスイッチが設けられており、このスイッチが前記操作部５によって操作可能とされている。また、前記外殻体２内には、図示しない電動機及び減速機構から成る図示しない駆動機構が設けられており、この駆動機構の減速機構に、六角柱状に形成されたシャフト１４，１５が平行に取り付けられている。なお、これらのシャフト１４，１５は、前記第一挿入口８と平行に設けられている。更に、これらのシャフト１４，１５には、円盤状の回転刃体１６が多数取り付けられている。そして、このように前記各シャフト１４，１５に前記回転刃体１６等を取り付けることで、前記回転刃６が構成されている。なお、前記回転刃体１６は金属製であり、その外周縁には周方向に細かい凹凸が形成されている。
【００１５】
前記外殻体２を構成する上外殻体２Ａに形成された凹部７には、スペーサ１７が着脱可能に取り付けられる。このスペーサ１７は、前記凹部７に取り付けられた状態では、その上面が前記上外殻体２Ａの上面と同じか、前記上外殻体２Ａの上面よりも僅かに低くなるように形成されている。また、前記スペーサ１７には、前記第一挿入口８に対応して第二挿入口１８が形成されている。なお、この第二挿入口１８の短方向の幅（即ち隙間）Ｘ２は、前記第一挿入口８の短方向の幅Ｘ１よりも狭く形成されている。また、前記第二挿入口１８の上端には、この第二挿入口１８に紙類を入れやすいようにするための凹状の導入部１９が形成されている。更に、前記第二挿入口１８の長辺の一方の下端には、リップ部２０が形成されている。そして、このリップ部２０は、前記スペーサ１７を前記凹部７に取り付けた際に、前記第一挿入口８内に挿入可能に構成されている。
【００１６】
次に、本実施形態の作用について説明する。まず、文書細断機を通常通り使用する場合について説明する。使用者が、前記文書細断機の取り扱いを心得た指の太い大人であり、指の細い子供が使用する虞のない場合、前記第一挿入口８に使用者の指が入る虞が無く、また、前記第一挿入口８に厚すぎる紙類や板、或いは細断能力を超える枚数の紙類が挿入される虞も少ないので、前記スペーサ１７を前記凹部７に取り付けなくても安全性を確保できると共に、前記文書細断機に過負荷をかけることも殆どない。そして、このように前記凹部７に前記スペーサ１７を取り付けていない状態では、前記スペーサ１７を取り付けている状態と比較して、前記第二挿入口１８の短方向の幅Ｘ２よりも前記第一挿入口８の短方向の幅Ｘ１が広いことから、前記凹部７によって紙類を前記第一挿入口８に導きやすいことと相まって、前記第一挿入口８に紙類を挿入しやすくして、前記文書細断機を扱い易くすることができる。このため、折れたり曲がったりした複数の紙等を一度に細断する場合であっても、前記第一挿入口８に容易に挿入することができる。
【００１７】
次に、前記細断機本体１に前記スペーサ１７を取り付けて使用する場合について説明する。使用者が、前記文書細断機の取り扱いを心得ていない場合、或いは指の細い子供が使用する虞がある場合、前記第一挿入口８に使用者の指が入る虞があり、また、前記第一挿入口８に厚すぎる紙類や板、或いは細断能力を超える枚数の紙類が挿入される虞もあるので、前記スペーサ１７を前記凹部７に取り付ける。そして、このように前記凹部７に前記スペーサ１７を取り付けた状態では、前記スペーサ１７を取り付けていない状態と比較して、前記第一挿入口８の短方向の幅Ｘ１よりも前記第二挿入口１８の短方向の幅Ｘ２が狭いことから、前記導入部１９が前記凹部７よりも小さいことと相まって、比較的前記第二挿入口１８に紙類を挿入しにくく、前記文書細断機が比較的扱いにくいものの、前記第一挿入口８の短方向の幅Ｘ１よりも前記第二挿入口１８の短方向の幅Ｘ２が狭く、また、前記回転刃６から前記第一挿入口８の上端までの距離Ｙ１よりも、前記回転刃６から前記第二挿入口１８の上端までの距離Ｙ２が長くできるので、たとえ幼い子供の細い指であったとしても、前記第二挿入口１８に挿入できてしまうことがなく、仮に挿入できてしまったとしても、指先が前記回転刃６に届かないようにすることができるので、前記スペーサ１７を使用しない場合よりも安全性を高めることができる。また、厚すぎる紙類や細断能力を超える枚数の紙類も前記第二挿入口１８に挿入しにくくなるので、前記文書細断機に過負荷をかけにくいようにすることもできる。なお、前記第一挿入口８の上端とは、本実施形態の場合、幅がＸ１でほぼ一定となる領域の上端である。（厳密には、金型の抜き勾配等があるため、完全に一定にはならないが、前記凹部７における幅の変化よりも微小であり、ほぼ一定と言える。）また、前記第二挿入口１８の上端とは、本実施形態の場合、幅がＸ２でほぼ一定となる領域の上端である。（厳密には、金型の抜き勾配等があるため、完全に一定にはならないが、前記導入部１９における幅の変化よりも微小であり、ほぼ一定と言える。）更に、前記距離Ｙ１及びＹ２を定義する回転刃６の位置は、前記ガイド部材３の刃窓１３から前記孔１１内に露出した前記回転刃体１６の上端を基準とする。
【００１８】
また、前記スペーサ１７が前記凹部７に取り付けられた状態で、前記第二挿入口１８の長辺の一方の下端に形成されたリップ部２０が前記第一挿入口８内に挿入されていることで、前記第二挿入口１８の短方向の幅Ｘ２よりも太い（或いは厚い）指や厚紙等が前記第二挿入口１８に挿入されようとしても、前記リップ部２０が前記第一挿入口８の内壁に当接して前記スペーサ１７の変形が抑制されるので、前記第二挿入口１８の短方向の幅Ｘ２よりも太い指や厚い紙類が前記第二挿入口１８に無理矢理挿入できず、これによって、安全性をより高めることができると共に、文書細断機に過負荷がかかることをより確実に抑制することができる。なお、文書細断機では、前記第一挿入口８に紙等が詰まってしまった場合、前記回転刃６を逆回転させることで紙屑等を前記第一挿入口８から排出できるようになっているが、本実施形態の場合、紙屑等が前記第一挿入口８内に挿入された前記リップ部２０に引っかかってしまい、前記第二挿入口１８から排出されない虞がある。しかしながら、前記スペーサ１７が前記凹部７に固定されていないことにより、前記紙屑等が前記リップ部２０に引っかかったとしても、前記紙屑等が前記リップ部２０、ひいては前記スペーサ１７を上方へ押し上げるので、このスペーサ１７を取り外すことで、前記紙屑等を前記第一挿入口８から除去することが可能になる。
【００１９】
なお、前述したように、前記スペーサ１７を前記凹部７に取り付けた状態では、前記スペーサ１７の上面が前記上外殻体２Ａの上面と同じか、前記上外殻体２Ａの上面よりも僅かに低くなるように形成されているので、前記凹部７に前記スペーサ１７を取り付けたとしても、このスペーサ１７が前記上外殻体２Ａから突出することがない。これによって、前記細断機本体１に前記スペーサ１７を取り付けても、前記文書細断機が外観上見苦しくなるようなことがないばかりでなく、使用者が不用意に指の爪等を前記スペーサ１７の縁に引っかけてしまうことで前記スペーサ１７が前記凹部７から不用意に外れてしまう可能性を低減させることができる。即ち、前記スペーサ１７が、意志を持って外さなければ前記凹部７から外れにくい構造になっているので、本実施形態の文書細断機は、安全性をより高めることができる。
【００２０】
以上のように本発明は、内部に回転刃６が設けられた細断機本体１の外殻体２に、底部にスリット状の第一挿入口８が形成された凹部７を設け、この凹部７に取り付けられるスペーサ１７を設け、このスペーサ１７がスリット状の第二挿入口１８を有すると共に、前記第二挿入口１８の短方向の幅Ｘ２を前記第一挿入口８の短方向の幅Ｘ１よりも狭く形成し、前記スペーサ１７が前記凹部７に取り付けた状態で前記回転刃６から前記第二挿入口１８の上端までの距離Ｙ２が前記回転刃６から前記第一挿入口８の上端までの距離Ｙ１よりも長くなるようにすることで、幼い子供の細い指等であっても、前記第二挿入口１８から挿入することができず、仮に挿入できたとしても、指先が前記回転刃６まで届かず、安全性を高めることができると共に、明らかに細断能力を超える厚さの紙類も前記第二挿入口１８から挿入しにくくなるので、文書細断機に過負荷がかかることを抑制することができるものである。
【００２１】
また、前記第二挿入口１８の長辺の一方の下端に、前記スペーサ１７を前記凹部７に取り付けた際に前記第一挿入口８内に挿入されるリップ部２０を形成したことで、前記第二挿入口１８の短方向の幅Ｘ２よりも太い（或いは厚い）指や紙類が前記第二挿入口１８に挿入されようとしても、前記リップ部２０が前記第一挿入口８の内壁に当接して前記スペーサ１７の変形が抑制されるので、安全性をより高めることができると共に、文書細断機に過負荷がかかることをより確実に抑制することができるものである。
【００２２】
なお、本発明は以上の実施形態に限定されるものではなく、発明の要旨の範囲内で種々の変形実施が可能である。例えば、上記実施形態では、第一挿入口と開口部とを繋いで紙類を送る経路が上下方向に延びて形成されているが、前記経路が斜め方向或いは横方向に延びて形成されるようにしてもよい。この場合、上記実施形態で、前記第一挿入口の入口から回転刃までの距離及び第二挿入口の入口から前記回転刃までの距離が、前記第一挿入口の上端、前記第二挿入口の上端、及びガイド部材の刃窓から露出した前記回転刃の上端によって定義されていたのを、前記第一挿入口、前記第二挿入口、及び前記刃窓から露出した前記回転刃の、それぞれ入口側端部を基準として定義することになる。また、前記第一挿入口及び第二挿入口の入口側端部の定義も、前記第一挿入口及び第二挿入口の形状によって変わることになる。例えば、前記第一挿入口及び第二挿入口に抜き勾配よりも大きな勾配がある場合で入口側ほど幅が広い場合には、厳密な定義は難しいが、勾配がほぼ一定となる領域の入口側端部を、前記第一挿入口又は第二挿入口の入口側端部として差し支えないと思われる。また、前記第一挿入口及び第二挿入口に抜き勾配よりも大きな勾配がある場合で回転刃側ほど幅が広い場合には、最も幅が狭くなる位置が前記第一挿入口又は第二挿入口の入口側端部となる。
【図面の簡単な説明】
【００２３】
【図１】本発明の一実施形態を示すスペーサを取り付けていない状態における文書細断機の平面図である。
【図２】同上、Ａ−Ｂ−Ｃ−Ｄ−Ｅ−Ｆ断面図である。
【図３】同上、図２の要部の拡大断面図である。
【図４】本発明の一実施形態を示すスペーサを取り付けた状態における文書細断機の平面図である。
【図５】同上、Ａ−Ｂ−Ｃ−Ｄ−Ｅ−Ｆ断面図である。
【図６】同上、図５の要部の拡大断面図である。
【符号の説明】
【００２４】
１  細断機本体
２  外殻体
６  回転刃
７  凹部
８  第一挿入口
１７  スペーサ
１８  第二挿入口
２０  リップ部
Ｘ１  第一挿入口８の短方向の幅
Ｘ２  第二挿入口１８の短方向の幅
Ｙ１  回転刃６から第一挿入口８の上端（入口側端部）までの距離
Ｙ２  回転刃６から第二挿入口１８の上端（入口側端部）までの距離
【図１】
2008062167.tif 000003
【図２】
2008062167.tif 000004
【図３】
2008062167.tif 000005
【図４】
2008062167.tif 000006
【図５】
2008062167.tif 000007
【図６】
2008062167.tif 000008